(57)【要約】【課題】複数のスピーカユニットを音響放射方向に沿って並べて配置したスピーカ装置において、スピーカの前側突出をできるだけ抑え、前方側スピーカユニットの接続端子を改良することで、接続端子や中継リード線の接触による音質低下や異音発生が生じないようにする。【解決手段】第１のスピーカユニット１０に入力端子１１を設けると共に、第２のスピーカユニット２０におけるフレーム前面２１Ａ上に接続端子２２を設け、入力端子１１と接続端子２２を接続する中継リード線３０を備え、接続端子２２は、中継リード線３０の端部が接続される接続部２２Ａをフレーム前面２１Ａ位置から音響放射方向に離間させ且つ第２のスピーカユニット２０の中心部から離間させるように延設された腕部２２Ｂを有する。【選択図】図３
2010109945.tif 000002
【特許請求の範囲】
【請求項１】
音響放射方向後方側に配置される第１のスピーカユニットと音響放射方向前方側に配置される第２のスピーカユニットを備えたスピーカ装置であって、
前記第１のスピーカユニットに入力端子を設けると共に、前記第２のスピーカユニットにおけるフレーム前面上に接続端子を設け、前記入力端子と前記接続端子を接続する中継リード線を備え、
前記接続端子は、前記中継リード線の端部が接続される接続部を前記フレーム前面から音響放射方向に離間させ且つ前記第２のスピーカユニットの中心部から離間させるように延設された腕部を有することを特徴とするスピーカ装置。
【請求項２】
前記中継リード線は、前記接続部から音響放射方向に沿って配置され、前記第１のスピーカユニットの振動板を貫通して前記入力端子に接続されることを特徴とする請求項１記載のスピーカ装置。
【請求項３】
前記接続端子は前記フレーム前面上に取り付けられる取り付け部を有し、
前記腕部は、前記取り付け部から音響放射方向に立ち上がる立ち上がり部と前記音響放射方向に交差する方向に延びる延長部とを備え、
前記延長部の先端付近に前記接続部が形成されることを特徴とする請求項１又は２に記載のスピーカ装置。
【請求項４】
前記接続端子は一対設けられることを特徴とする請求項１〜３のいずれかに記載のスピーカ装置。
【請求項５】
前記接続端子の接続部は前記第２のスピーカユニットのフレーム外縁より外側に位置することを特徴とする請求項１〜４のいずれかに記載のスピーカ装置。
【請求項６】
前記接続端子の接続部は前記中継リード線の端部が挿入される接続孔又は接続溝を有することを特徴とする請求項１〜５のいずれかに記載のスピーカ装置。
【請求項７】
前記取り付け部には、前記第２のスピーカユニットのボイスコイル引き出し線が接続される接続部が形成されることを特徴とする請求項３記載のスピーカ装置。
【請求項８】
前記取り付け部には、前記第２のスピーカユニットのフレームに係合する係合部が形成され、該係合部に別の接続部が形成されることを特徴とする請求項３記載のスピーカ装置。
【請求項９】
前記係合部は前記フレームを貫通した背面側に前記接続部を形成することを特徴とする請求項８記載のスピーカ装置。
【請求項１０】
前記第１のスピーカユニットと前記第２のスピーカユニットとは支柱を介して同軸上に連結されていることを特徴とする請求項１〜９のいずれかに記載のスピーカ装置。
【請求項１１】
前記支柱の内部に前記接続端子に接続されるネットワーク素子が配備されることを特徴とする請求項１０記載のスピーカ装置。
【請求項１２】
前記第１及び第２のスピーカユニットは、フレームと、該フレームに支持される振動体と、該振動体を駆動する磁気回路とを備え、
該振動体は、音声信号が入力されるボイスコイルと該ボイスコイルを支持するボイスコイル支持部と該ボイスコイル支持部に連結された振動板と前記振動板を前記フレームに支持するエッジとを備え、
前記磁気回路は、磁石とプレートとヨークとを備え、前記プレートと前記ヨークとの間に形成され前記ボイスコイルが配置される磁気ギャップを形成することを特徴とする請求項１〜１１のいずれかに記載のスピーカ装置。
【請求項１３】
前記第１のスピーカユニットはコーン状の振動板を備え、前記第２のスピーカユニットはドーム状の振動板を備えることを特徴とする請求項１２記載のスピーカ装置。
【発明の詳細な説明】
【技術分野】
【０００１】
本発明は、スピーカ装置に関するものである。
【背景技術】
【０００２】
スピーカ装置には、複数のスピーカユニットを音響放射方向に沿って並べて配置したものがある。図１には、その一例として同軸型の複合スピーカ装置を示している。図示の例は、高域再生用のスピーカユニット（ツイータ）Ｊ１を音響放射方向の前方に配置し、低域再生用のスピーカユニット（ウーハー）Ｊ２を音響放射方向の後方に配置している。
【０００３】
図１の例では、スピーカユニットＪ１はフレームＪ１０の底面に磁気回路Ｊ１１が取り付けられており、スピーカユニットＪ２はフレーム２０の底面に磁気回路Ｊ２１が取り付けられている。そして、磁気回路Ｊ１１の中心と磁気回路Ｊ２１の中心が支柱Ｊ３で連結されている。スピーカユニットＪ２のフレーム２０にはメインの入力端子Ｊ２２が設けられ、スピーカユニットＪ１のフレームＪ１０にはサブの接続端子Ｊ１２が設けられている。メインの入力端子Ｊ２２とサブの接続端子Ｊ１２は中継リード線（錦糸線）Ｊ４で連結されている。
【特許文献１】特開平６−２６９０７６号参照
【発明の開示】
【発明が解決しようとする課題】
【０００４】
前述した従来のスピーカ装置では、中継リード線が後方側のスピーカユニットの振動板を貫通して前方側のスピーカユニットに導かれている。このような配線形態を採用する場合、後方側のスピーカユニットにおける振動板の振動に前方側のスピーカユニット及び中継リード線が干渉しないことが要求される。このためには、２つのスピーカユニットを連結する支柱を長くして両者の間隔を離せばよいが、そうすると、図１に示すように、後方のスピーカユニットの前面位置Ａに対して前方のスピーカユニットの前面位置Ｂが大きく音響放射方向ＳＤ側に突出することになり、スピーカ装置の取り付け時に周辺環境や前面筐体（スピーカ保護用のグリル等）に干渉する不具合が生じる。特に、車載用スピーカの場合には、車室内空間が限られているのでスピーカの前側突出をできるだけ抑えることが要求される。
【０００５】
一方、スピーカの前側突出を抑えるように、できるだけ両スピーカユニットの間隔を近づけた場合に、前述した従来技術のように前方側のスピーカユニットにおける接続端子をフレームの側面に設けていると、この接続端子やこれに接続される中継リード線が後方側のスピーカユニットの振動板に接触することがあり、後方側のスピーカユニットの音質を低下させると共に、接触による異音発生の問題が生じる。
【０００６】
本発明は、このような問題に対処することを課題の一例とするものである。すなわち、複数のスピーカユニットを音響放射方向に沿って並べて配置したスピーカ装置において、スピーカの前側突出をできるだけ抑えること、前方側スピーカユニットの接続端子を改良することで、接続端子や中継リード線の接触による音質低下や異音発生が生じないようにすること、等が本発明の目的である。
【課題を解決するための手段】
【０００７】
このような目的を達成するために、本発明によるスピーカ装置は、以下の独立請求項に係る構成を少なくとも具備するものである。
［請求項１］音響放射方向後方側に配置される第１のスピーカユニットと音響放射方向前方側に配置される第２のスピーカユニットを備えたスピーカ装置であって、前記第１のスピーカユニットに入力端子を設けると共に、前記第２のスピーカユニットにおけるフレーム前面上に接続端子を設け、前記入力端子と前記接続端子を接続する中継リード線を備え、前記接続端子は、前記中継リード線の端部が接続される接続部を前記フレーム前面から音響放射方向に離間させ且つ前記第２のスピーカユニットの中心部から離間させるように延設された腕部を有することを特徴とするスピーカ装置。
【発明を実施するための最良の形態】
【０００８】
以下、本発明の実施形態を図面に基づいて説明する。図２及び図３は本発明の一実施形態に係るスピーカ装置の全体構成を示す説明図（断面図）である。本発明の実施形態に係るスピーカ装置は、音響放射方向ＳＤ後方側に配置される第１のスピーカユニット１０と音響放射方向ＳＤ前方側に配置される第２のスピーカユニット２０を備え、第１のスピーカユニット１０に入力端子１１を設けると共に、第２のスピーカユニット２０におけるフレーム前面２１Ａ上に接続端子２２を設け、入力端子１１と接続端子２２を接続する中継リード線３０を備え、接続端子２２は、中継リード線３０の端部が接続される接続部２２Ａをフレーム前面２１Ａ位置から音響放射方向に離間させ且つ第２のスピーカユニット２０の中心部から離間させるように延設された腕部２２Ｂを有する。
【０００９】
図示の例では、第１のスピーカユニット１０は、磁気回路１２と、フレーム１３と、振動板１４，ボイスコイル１５，ボイスコイルボビン１６，ダンパ１７を有する振動体とを備えている。磁気回路１２は、センターポール１２Ａ１を有するヨーク１２Ａとリング状の磁石１２Ｂとリング状のプレート１２Ｃを備えて、センターポール１２Ａ１の外周面とプレート１２Ｃの内周面との間に磁気ギャップが形成されている。ボイスコイル１５はボイスコイルボビン１６に支持され、ボイスコイル１５が前述の磁気ギャップ内に位置するようにボイスコイルボビン１６がダンパ１７を介してフレーム１３に支持されている。ボイスコイルボビン１６の上部は振動板１４の内周縁部に連結され、振動板１４の外周部はエッジ１４Ａを介してフレーム１３に支持されている。フレーム１３の側部に外部から音声信号が入力される入力端子１１が設けられている。振動板１４はコーン状の振動板を採用している。
【００１０】
図示の例では、第２のスピーカユニット２０は、第１のスピーカユニット１０に支柱４０を介して同軸上に連結されており、フレーム２１、磁気回路２３、振動板２４、ボイスコイルボビン２５、ボイスコイル２６を備えている。図示のＯは中心軸であり、この中心軸Ｏに沿って支柱４０が配置されている。
【００１１】
フレーム２１は、第１のスピーカユニット１０のセンターポール１２Ａ１の中央開口に挿入支持された支柱４０に支持されており、その内部に磁気回路２３を配備している。振動板２４は磁気回路２３を覆うようにエッジ２４Ａを介してフレーム２１に支持されている。振動板２４にはボイスコイルボビン２５が連結され、ボイスコイルボビン２５にはボイスコイル２６が巻き回されている。振動板２４としては、ドーム状（ダイヤフラム型）の振動板を採用している。そして、フレーム２１の前面２１Ａに接続端子２２が設けられている。
【００１２】
支柱４０の内部は中空状になっており、その内部にコンデンサ４１が配置されている。コンデンサ４１は、ネットワーク素子であり、接続端子２２に接続されて第２のスピーカユニット２０の入力信号回線に直列に接続されている。ネットワーク素子として、コンデンサの他に、コイル、抵抗素子等が挙げられる。
【００１３】
中継リード線３０は、入力端子１１と接続端子２２とを電気的に接続している。入力端子１１に外部から入力された音声信号は、図示省略のリード線を介して第１のスピーカユニットにおけるボイスコイル１５に供給され、更には、中継リード線３０を介して接続端子２２に入力されて、接続端子２２に接続されるボイスコイル２６に供給される。
【００１４】
このようなスピーカ装置では、接続端子２２が腕部２２Ｂを有することで、中継リード線３０の端部が接続される接続部２２Ａをフレーム前面２１Ａから音響放射方向に離間させ且つ第２のスピーカユニット２０の中心部からも離間させている。これによって、図３に示すように、第１のスピーカユニット１０の振動板１４が大きく振動して破線に示すように第１のスピーカユニット１０に近づいても、前述したように接続部２２Ａを振動板１４から遠ざけるように配置しているので、振動板１４の振動が接続部２２Ａに干渉することがない。また、接続部２２Ａの位置を振動板１４から遠ざけながら、第２のスピーカユニット２０のフレーム前面２１Ａを第１のスピーカユニット１０側に近づけているので、第２のスピーカユニット２０が第１のスピーカユニット１０の前面から突出するのを最小限に抑えることができる。
【００１５】
また、中継リード線３０は、接続部２２Ａから音響放射方向ＳＤに沿って配置され、第１のスピーカユニット１０の振動板１４を貫通して入力端子１１に接続されている。これによると、中継リード線３０を音響放射方向ＳＤに沿わせることで、振動板１４の振動に対して中継リード線３０が障害になるのを抑止し、振動板１４の接触によって中継リード線３０が揺れるのを最小限に抑えることで、異音の発生等を抑止することができる。
【００１６】
図４は、接続端子２２の取り付け構造の具体例を示す説明図であり、図５は、接続端子２２の構成例を示した説明図である。
【００１７】
接続端子２２はフレーム前面２１Ａ上に取り付けられる取り付け部２２Ｃを有し、腕部２２Ｂは、取り付け部２２Ｃから音響放射方向に立ち上がる立ち上がり部２２Ｂ１と音響放射方向に交差する方向に延びる延長部２２Ｂ２とを備え、延長部２２Ｂ２の先端付近に接続部２２Ａが形成されている。
【００１８】
すなわち、腕部２２Ｂは取り付け部２２Ｃから片持ち状に延びており、その先端付近にある接続部２２Ａに中継リード線３０を介した荷重が加わるようになっている。この際、腕部２２Ｂは荷重方向に沿った縦長の矩形断面を有するので、高い曲げ剛性を有し、中継リード線３０の自重が加わり、また、第１のスピーカユニット１０の駆動時に振動板１４と共に中継リード線３０が振動し腕部２２Ｂにストレスが作用する場合にも充分耐えうるようになっている。また、接続端子２２は板状部材で形成でき、前述した立ち上がり部２２Ｂ１の基部で腕部２２Ｂ全体を略垂直に折り曲げることによって形成することができる。
【００１９】
接続端子２２は一対設けられており、各々の接続端子２２を介して一対の中継リード線３０がボイスコイル２６の両端に接続されている。また、接続端子２２の接続部２２Ａは第２のスピーカユニット２０のフレーム２１外縁より外側に位置するように腕部２２Ｂが所定の長さに形成されている。図４に示すように、腕部２２Ｂをハの字に広げて接続部２２Ａを離して配置することで、一対の中継リード線３０をバランス良く配置することができる。接続端子２２の接続部２２Ａは中継リード線３０の端部が挿入される接続孔又は接続溝を有する。図５に示すようにＵ字状の溝にすることもできるし、閉じた孔状にすることもできる。
また、接続部２２Ａの下端部には、取り付け部２２Ｃと略平行に延在する板状部２２Ｆが形成されている。この板状部２２Ｆを設けることで、接続部２２Ａと中継リード線３０とを接続する際、半田やメッキ等の導電材料を用いて中継リード線３０を接続部２２Ａに接続する場合にも、導電部材が流れ落ちること等を抑止することができ、良好に接合することができる。
【００２０】
取り付け部２２Ｃには、第２のスピーカユニット２０のボイスコイル引き出し線２６Ａ，２６Ａが接続される接続部２２Ｃ１が形成されている。また、取り付け部２２Ｃには、第２のスピーカユニット２０のフレーム２１に係合する係合部２２Ｄが形成され、この係合部２２Ｄに別の接続部２２Ｅが形成されている。すなわち、図示の例では、接続端子２２には、第１の接続部２２Ａと第２の接続部２２Ｃ１と第３の接続部２２Ｅが設けられている。第３の接続部２２Ｅには、例えば前述したコンデンサ４１等を接続することができる。係合部２２Ｄはフレーム２１を貫通した背面側に第３の接続部２２Ｅを形成することで、第２のスピーカユニット２０の背面側に配置されるコンデンサ４１等との接続を容易にしている。
【００２１】
図６（ａ），（ｂ）は、接続端子２２の変形例を示した説明図である。図示の例は、何れも前述した実施形態と同様に、接続部２２Ａ，立ち上がり部２２Ｂ１，延長部２２Ｂ２，取り付け部２２Ｃを備えている。図６（ａ）に示す例では、取り付け部２２Ｃから同一面上に延長部２２Ｂ２が形成され、その先端側を折り曲げて立ち上がり部２２Ｂ１を形成し、その先端付近に接続部２２Ａを形成している。図６（ｂ）に示す例では、取り付け部２２Ｃからすぐに立ち上がり部２２Ｂ１が形成されて、その先端側を折り曲げて延長部２２Ｂ２を形成し、その先端付近に接続部２２Ａを形成している。同図（ａ），（ｂ）の接続部２２Ａは中継リード線３０を引っ掛けて接続する構造になっている。
【００２２】
本発明の実施形態においては、第１のスピーカユニット１０及び第２のスピーカユニット２０の形態は任意であるが、第１のスピーカユニット１０を振動板振幅の大きいウーハーとし、第２のスピーカユニット２０をツイータとして、これらを同軸上に並べた同軸複合型のスピーカ装置において特に有効である。
【００２３】
このような実施形態のスピーカ装置によると、複数のスピーカユニット１０，２０を音響放射方向ＳＤに沿って並べて配置したスピーカ装置において、スピーカの前側突出をできるだけ抑えることができ、更に前方側スピーカユニット２０の接続端子２２を改良することで、接続端子２２や中継リード線３０の接触による音質低下や異音発生が生じないようにすることができる。
【図面の簡単な説明】
【００２４】
【図１】従来技術の説明図である。
【図２】本発明の一実施形態に係るスピーカ装置の全体構成を示す説明図（断面図）である。
【図３】本発明の一実施形態に係るスピーカ装置の全体構成を示す説明図（断面図）である。
【図４】、本発明の一実施形態における接続端子の取り付け構造の具体例を示す説明図である。
【図５】本発明の一実施形態における接続端子の構成例を示した説明図である。
【図６】本発明の一実施形態における接続端子の変形例を示した説明図である。
【符号の説明】
【００２５】
１０：第１のスピーカユニット，１１：入力端子，１２：磁気回路，１３：フレーム，１４：振動板，１４Ａ：エッジ，
２０：第２のスピーカユニット，２１：フレーム，２１Ａ：フレーム前面，２２：接続端子，２３：磁気回路，２４：振動板：２４Ａ：エッジ，
２２Ａ：接続部，２２Ｂ：腕部，２２Ｂ１：立ち上がり部，２２Ｂ２：延長部，２２Ｃ：取り付け部，２２Ｄ：係合部，２２Ｅ：接続部
【図１】
2010109945.tif 000003
【図２】
2010109945.tif 000004
【図３】
2010109945.tif 000005
【図４】
2010109945.tif 000006
【図５】
2010109945.tif 000007
【図６】
2010109945.tif 000008